(57)【要約】【課題】外径が２インチ（５０．８ｍｍ）以下の磁気ディスクを備えた小型磁気ディスクカートリッジにおいて、磁気ディスクの回転面振れを低減する。【解決手段】磁気ディスク５を９０μｍ以下の厚さを有する両面粘着性テープを介してセンタコア１０のディスク貼付面上に固着する。【選択図】          図２
2004213855.tif 000002
【特許請求の範囲】
【請求項１】
外径が５０．８ｍｍ以下の可撓性磁気ディスクを備え、該磁気ディスクの中心部に、センタコアが両面粘着性テープを介して固着されてなる磁気ディスクカートリッジにおいて、
前記両面粘着性テープが９０μｍ以下の厚さを有することを特徴とする磁気ディスクカートリッジ。
【請求項２】
前記両面粘着性テープが、２０μｍ以上の厚さを有することを特徴とする請求項１記載の磁気ディスクカートリッジ。
【請求項３】
前記両面粘着性テープの厚さが、前記磁気ディスクの厚さの１．８倍以下であることを特徴とする請求項１記載の磁気ディスクカートリッジ。
【請求項４】
前記両面粘着性テープの厚さが、前記磁気ディスクの厚さの０．４倍以上であることを特徴とする請求項３記載の磁気ディスクカートリッジ。
【請求項５】
前記両面粘着性テープが、フィルム基材の両面に粘着剤を塗布したものであることを特徴とする請求項１から４までのいずれかに記載の磁気ディスクカートリッジ。
【請求項６】
前記フィルム基材がポリエステル系樹脂からなることを特徴とする請求項５記載の磁気ディスクカートリッジ。
【請求項７】
前記フィルム基材の両面にそれぞれ厚さ４０μｍ以下の粘着剤が塗布されていることを特徴とする請求項５または６記載の磁気ディスクカートリッジ。
【請求項８】
前記フィルム基材の両面にそれぞれ厚さ８μｍ以上の粘着剤が塗布されていることを特徴とする請求項７記載の磁気ディスクカートリッジ。
【請求項９】
前記両面粘着性テープが、１層の粘着剤層のみからなることを特徴とする請求項１から４までのいずれかに記載の磁気ディスクカートリッジ。
【請求項１０】
前記両面粘着性テープが、不織布に粘着剤を含浸させたものであることを特徴とする請求項１から４までのいずれかに記載の磁気ディスクカートリッジ。
【請求項１１】
前記粘着剤がアクリル系樹脂からなることを特徴とする請求項５，９，１０のいずれかに記載の磁気ディスクカートリッジ。
【請求項１２】
外径が５０．８ｍｍ以下の可撓性磁気ディスクを備え、該磁気ディスクの中心部に、センタコアが接着性層を介して固着されてなる磁気ディスクカートリッジにおいて、
前記接着性層が９０μｍ以下の厚さを有することを特徴とする磁気ディスクカートリッジ。
【発明の詳細な説明】
【０００１】
【発明の属する技術分野】
本発明は、外径が２インチ（５０．８ｍｍ）以下の小径の可撓性磁気ディスクを備えた磁気ディスクカートリッジに関し、特に、上記磁気ディスクの中心部にセンタコアが両面粘着性テープを介して固着されてなる磁気ディスクカートリッジに関するものである。
【０００２】
【従来の技術】
近年、記録媒体としての回転型磁気ディスクの高容量化、小径化が進んでおり、このような磁気ディスクを収容する小型磁気ディスクカートリッジの一例として、「ｃｌｉｋ！（Ｒ）」と呼ばれるものが知られている（特許文献１参照）。
【０００３】
この磁気ディスクカートリッジは、例えば幅５０ｍｍ、奥行き５５ｍｍ、厚さ１．９５ｍｍの扁平な金属薄板からなる上下シェルを備えたハウジング内に、４０ＭＢの記憶容量を有する直径約１．８インチ（約４７ｍｍ）の可撓性磁気ディスクを情報記録媒体として回転自在に収容したものである。
【０００４】
このような可撓性磁気ディスクは、厚さ約３２μｍのＰＥＴ（ポリエチレンテレフタレート）樹脂からなる基材フィルムの両面に磁性層を設けたものであり、その中心部に固着されたセンタコアによって支持されている。センタコアは、ディスク貼付面としての平坦な上面を備えた外径約１２．５ｍｍの円盤状部分と、この円盤状部分の下部に一体に連接されたより小径の係合部とを備えた鉄系金属からなるものであり、この磁気ディスクカートリッジがドライブ装置に装填された際には、ドライブ装置が備えているドライブスピンドルにセンタコアの上記係合部が磁気的に吸着されてドライブスピンドルにチャッキングされるように構成されている。
【０００５】
そして、磁気ディスクの中心部をセンタコアのディスク貼付面上に同軸的に固着するための手段として、不織布を基材としてこれに粘着剤を含浸させた厚さ１００〜１５０μｍ程度の両面粘着性テープが用いられてきた。
【０００６】
【特許文献１】
米国特許第６２５６１６８号明細書
【０００７】
【発明が解決しようとする課題】
ところで、このような小型磁気ディスクカートリッジにおいては、その記録媒体としての磁気ディスクのさらなる高容量化（１ＧＢ以上）および高転送レート化が望まれており、磁気ディスクを外径２インチ（５０．８ｍｍ）以下に小径化し、かつ磁気ディスクの回転数を２０００〜８０００ｒｐｍ  と高速化することが図られようとしているが、そのような小径化および高速化を図ろうとする場合に、従来ではさほど問題にならなかった磁気ディスクの情報記録領域における僅かな回転面振れに起因するオフトラック等が大きな障害になってきた。
【０００８】
そこで、本発明者は、磁気ディスクの回転面振れを低減すべく、種々の実験に基づいて磁気ディスクの回転面振れの要因を探求した結果、両面粘着性テープを介してセンタコアのディスク貼付面上に固着された磁気ディスクの中心領域において貼付により発生した歪みが、磁気ディスクの中心領域から外周側の記録領域に向って伝播して、記録領域において回転面振れを生じさせていることを確認した。
【０００９】
すなわち、磁気ディスクの回転面振れは、図５（ａ）に概略的に示すように、磁気ディスクのセンタコアに対する貼付歪みの増大に伴って増大する傾向があることが判明した。
【００１０】
さらに、磁気ディスクの貼付歪みは、図５（ｂ）に概略的に示すように、磁気ディスクとセンタコアとの間に介在する両面粘着性テープの厚さの増大に伴って増大する傾向があることも判明した。
【００１１】
またさらに、磁気ディスクの貼付歪みは、図５（ｃ）に概略的に示すように、磁気ディスクの厚さ（基材フィルムの厚さ）の増大に伴って減少する傾向があることも判明した。
【００１２】
なお、図５（ａ）〜（ｃ）に示すグラフは直線となっているが、これは傾向を概略的に示したものであって、必ずしもリニアな関係があることを意味するものではない。
【００１３】
上述の傾向から、本発明者は、磁気ディスクとセンタコアとの間に介在する両面粘着性テープの厚さが磁気ディスクの回転面振れに関係していることに想到し、回転面振れの低減を目的とする本発明を提案するに至ったものである。
【００１４】
【課題を解決するための手段】
本発明は、外径が２インチ（５０．８ｍｍ）以下の可撓性磁気ディスクを備え、この磁気ディスクの中心部に、センタコアが両面粘着性テープを介して固着されてなる磁気ディスクカートリッジにおいて、上記両面粘着性テープが９０μｍ以下の厚さを有することを特徴とするものである。
【００１５】
上記両面粘着性テープの厚さは、回転面振れを低減する点からは薄い方が望ましいが、薄過ぎると接着性および組立て作業性の点で問題になるので、２０μｍ以上の厚さを有することが好ましい。
【００１６】
また、上記両面粘着性テープの厚さは、上記磁気ディスクの厚さ（基材フィルムの厚さ）の１．８倍以下であることが好ましく、さらに、上記両面粘着性テープの厚さが、上記磁気ディスクの厚さの０．４倍以上であることがより好ましい。
【００１７】
上記両面粘着性テープとしては、フィルム基材の両面に粘着剤を塗布したものが一般的であるが、それ以外に、１層の粘着剤層のみからなるもの、あるいは、不織布に粘着剤を含浸させたものも使用することができる。フィルム基材の両面に粘着剤を塗布した両面粘着性テープの場合には、フィルム基材がポリエステル系樹脂からなることが好ましい。
【００１８】
また、上記両面粘着性テープが、フィルム基材の両面に粘着剤を塗布した両面粘着性テープの場合、各粘着剤の厚さは４０μｍ以下であることが好ましい。その場合に、各粘着剤の厚さが８μｍ以上であることがより好ましい。
【００１９】
さらに上記粘着剤は、アクリル系樹脂からなることが好ましい。
【００２０】
【発明の効果】
本発明によれば、可撓性磁気ディスクをセンタコアのディスク貼付面上に固着する両面粘着性テープの厚さの上限を９０μｍ以下に設定することにより、図５（ｂ）から明らかなように、１００μｍ以上の厚さを有する両面粘着性テープを使用した従来のこの種磁気ディスクカートリッジディスクにおけるよりも貼付歪みが減少し、これに伴って、図５（ａ）から明らかなように、磁気ディスクの回転面振れを低減することができた。したがって、外径２インチ（５０．８ｍｍ）以下の可撓性磁気ディスクを備えた小型磁気ディスクカートリッジにおいて高容量化を図ることが可能になった。
【００２１】
そして、両面粘着性テープの厚さの下限を２０μｍ以上に設定することにより、組立て作業性等の点での問題も生じない。
【００２２】
また、図５（ｃ）から明らかなように、磁気ディスクの回転面振れの要因であるディスク貼付歪みは、磁気ディスクの厚さ（フィルム基材の厚さ）が厚くなる程減少するが、厚過ぎると、磁気ヘッドに対する追従性に問題を生じるので、厚さ５０μｍ程度が適当である。したがって、磁気ディスクの厚さに対する両面粘着性テープの厚さの関係に着目すると、５０μｍの磁気ディスクの厚さに対して、９０μｍ以下２０μｍ以上の両面粘着性テープの厚さは、１．８倍以下０．４倍以上となる。
【００２３】
さらに、磁気ディスクの中心部にセンタコアを固着する手段としては、上述した両面粘着性テープに限らず、接着剤またはホットメルト接着を用いた場合でも、磁気ディスクとセンタコアとの間に介在している接着性層の厚さが９０μｍ以下であれば、両面粘着性テープを用いた場合と同様の効果を得ることができる。
【００２４】
【発明の実施の形態】
以下、本発明によるディスクカートリッジの実施の形態について、図面を参照して詳細に説明する。
【００２５】
図１（ａ），（ｂ）は、本発明が適用される磁気ディスクカートリッジの平面図および底面図、図２は図１（ｂ）のＩＩ−ＩＩ線に沿った要部拡大断面図である。
【００２６】
この磁気ディスクカートリッジ１は、押込み部２ａを含むスタビライザと呼ばれる樹脂製のフレーム２と、厚さ０．２ｍｍ程度のステンレス鋼板（例えば、ＳＵＳ３０４等）からなる上シェル３および下シェル４とによって構成された、幅５０ｍｍ、奥行き５５ｍｍ、厚さ１．９５ｍｍの扁平なハウジング内に、１ＧＢの記憶容量を有する直径１．８インチ（約４６ｍｍ）の磁気ディスク５を、ドライブ装置に装填されたときに回転自在になるように収容している。磁気ディスク５の中央部には、中心孔１０ａを備えたセンタコア１０が固着されている。
【００２７】
この磁気ディスクカートリッジ１は、幅５３ｍｍ、奥行き８５ｍｍ、厚さ５ｍｍの外寸を有するＴＹＰＥＩＩ  ＰＣカード型のドライブ装置（図略）が備えているスロットに挿入形式でローディングされるように構成され、上下シェル３，４には、上記ドライブ装置が備えている記録再生用磁気ヘッドを磁気ディスク５の表面にアクセスさせるための略Ｖ字状の開口部６が形成され、上下シェル３，４の内側には、上記開口部６を回転式に開閉するための開口部７ａを備えたロータリーシャッタ７が、図示しないバネ部材によって閉方向に付勢された態様で設けられている。
【００２８】
ロータリーシャッタ７は、周縁部で互いに係合された上下のシャッタ部材７Ｕ，７Ｄからなり、図２から明らかなように、上シャッタ部材７Ｕは、上シェル３の下面から内方へ突出する小径の円筒体３ａによって回転可能に軸支され、かつ円筒体３ａの先端には、上シャッタ部材７Ｕの円筒体３ａからの抜出しを防止するためのセンタピンと呼ばれる抜止め部材９が溶接されて、センタコア１０の中心孔１０ａ内に介入している。
【００２９】
下シェル４の中央部には、センタコア１０を外部に臨ませる円形の中心孔４ａが形成され、下シャッタ部材７Ｄの中心部には、下シェル４の中心孔４ａの周縁に遊嵌される大径の円筒体７Ｄａが下方へ向かって突設されて、この円筒体７Ｄａによって下シャッタ部材７Ｄが下シェル４に回転可能に支持されているとともに、円筒体７Ｄａの先端部がカシメられて、下シャッタ部材７Ｄの下シェル４からの抜出しを防止するフランジ１２が形成されている。上下のシャッタ部材７Ｕ，７Ｄの内面にはライナ１３が貼り付けられている。
【００３０】
さらに下シェル４には、ロータリーシャッタ７と同心的な円弧状溝４ｂが形成され、下シャッタ部材７Ｄには、図１（ｂ）に示すように、上記円弧状溝４ｂから突出しかつこの円弧状溝４ｂに沿って移動してロータリーシャッタ７を開閉するシャッタノブ７ｂが固設されている。そして、ドライブ装置に対する磁気ディスクカートリッジ１のローディング動作に伴って、ドライブ装置の係合壁面がシャッタノブ７ｂに係合して、ロータリーシャッタ７がその開口部７ａを上下シェル３，４の開口部６に一致させた開位置まで約６０度回転されることにより、磁気ディスク５を上下シェル３，４の開口部６から露出させ、かつドライブ装置からの磁気ディスクカートリッジ１のアンローディング動作に伴って、ロータリーシャッタ７は図示しないバネ部材によって図１（ａ），（ｂ）に示す閉位置に復帰するように構成されている。
【００３１】
図３（ａ），（ｂ）は、磁気ディスク５をセンタコア１０のディスク貼付面１０ａ上に両面粘着性テープ２０を用いて固着する場合の構成を概略的に示す拡大断面図である。
【００３２】
図３（ａ）に示すように、磁気ディスク５はＰＥＴ樹脂またはＰＥＮ（ポリエチレンナフタレート）樹脂で形成された厚さ５３μｍの可撓性フィルム基材Ｂ１の両面に例えばＢａＦｅを強磁性粉末として含む磁性層Ｍ，Ｍを備えたものからなり、両面粘着性テープ２０は、可撓性フィルム基材Ｂ２の両面に粘着剤層Ａ，Ａを備えている。そして、この両面粘着性テープ２０は、その上面の粘着剤層Ａによって磁気ディスク５に貼り付けられた後、下面の粘着剤層Ａがセンタコア１０のディスク貼付面１０ａ上に貼り付けられることによって、磁気ディスク５をセンタコア１０のディスク貼付面１０ａ上に固着している。
【００３３】
両面粘着性テープ２０には、ＰＥＴ、ポリエチレンナフタレート（ＰＥＮ）のようなポリエステル系樹脂で形成されたフィルム基材Ｂ２と、このフィルム基材Ｂ２の両面に設けられたアクリル系樹脂からなる粘着剤層Ａ，Ａを含んだ総厚さが９０μｍ以下２０μｍ以上のものが用いられている。
【００３４】
図４は、厚さ５３μｍのＰＥＴ樹脂をフィルム基材Ｂ２に用いた磁気ディスク１０を、厚さの異なる５種類の両面粘着性テープ２０を用いてセンタコア１０のディスク貼付面１０ａ上に貼り付けた場合のディスク回転面振れの実測値を示すグラフである。磁気ディスク１０におけるディスク回転面振れ値は、半径２０ｍｍの外側記録領域で測定した。
【００３５】
実測に際しては、東京都渋谷区神宮前６−１９−２０所在のテサテープ株式会社が販売している品番テサ４９８３（厚さ３０μｍ）、テサ４９７２（厚さ４８μｍ）、テサ４９８０（厚さ８０μｍ）、テサ４９６７（厚さ１６０μｍ）、およびテサ４９６５（厚さ２０５μｍ）の５種類の両面粘着性テープ２０をそれぞれ複数サンプル用いて、それぞれのディスク回転面振れ値をプロットした。そして、同一品番の両面粘着性テープ２０におけるディスク回転面振れ値の平均値を結んだところ、図示のような曲線が得られた。
【００３６】
図４から明らかなように、９０μｍ以下の厚さを有する両面粘着性テープを用いた場合に、１００μｍ以上の厚さを有する両面粘着性テープを用いた場合よりもディスク回転面振れが低減されることが裏づけられた。両面粘着性テープ２０の各粘着剤層Ａの厚さは、４０μｍ以下８μｍが好ましい。
【００３７】
なお、本実施の形態は、可撓性フィルム基材Ｂ２の両面に粘着剤層Ａ，Ａを備えた両面粘着性テープ２０の場合であるが、その場合に、フィルム基材Ｂ２にポリエステル系樹脂を用い、粘着剤層にアクリル系樹脂を用いた場合にさらに良好な結果が得られることが確認された。
【００３８】
また、両面粘着性テープ２０がフィルム基材Ｂ２を備えておらず１層の接着剤層のみの場合、および不織布基材に粘着剤を含浸させたものの場合であっても、厚さが９０μｍ以下であれば、同様の効果が得られることも確認することができた。
【００３９】
さらには、磁気ディスクの中心部にセンタコアを固着する手段としては、上述した両面粘着性テープに限らず、接着剤またはホットメルト接着を用いた場合でも、磁気ディスクとセンタコアとの間に介在している接着性層の厚さが９０μｍ以下であれば、両面粘着性テープを用いた場合と同様の効果を得ることができた。
【図面の簡単な説明】
【図１】図１（ａ），（ｂ）は、本発明による磁気ディスクカートリッジの実施の形態を平面図および底面図
【図２】図１（ｂ）のＩＩ−ＩＩ線に沿った要部拡大断面図
【図３】磁気ディスクをセンタコアのディスク貼付面上に両面粘着性テープを用いて固着する場合の構成を概略的に示す拡大断面図
【図４】両面粘着性テープの厚さに対する磁気ディスク回転振れ値の関係を示すグラフ
【図５】図５（ａ）はディスク貼付歪みに対するディスク回転振れの関係を概略的に示すグラフ、図５（ｂ）は両面粘着性テープの厚さに対するディスク貼付歪みの関係を概略的に示すグラフ、図５（ｃ）はディスクの厚さに対するディスク貼付歪みの関係を概略的に示すグラフ
【符号の説明】
１    磁気ディスクカートリッジ
３    上シェル
４    下シェル
５    磁気ディスク
７    ロータリーシャッタ
１０    センタコア
２０    両面粘着性テープ
【図１】
2004213855.tif 000003
【図２】
2004213855.tif 000004
【図３】
2004213855.tif 000005
【図４】
2004213855.tif 000006
【図５】
2004213855.tif 000007